(57)【要約】【課題】両吸込型送風機を内蔵した場合に、ファン吹出口の中央付近にて２つの羽根車から生じる高風速部分での干渉により発生する高周波数帯の騒音の減音が難しく、高周波数帯の騒音の低減が十分に図れていないという課題があった。【解決手段】両吸込型送風機のファン吹出口と前記吐出口間に内面に吸音材を有した空間部を設け、前記空間部と連通した前記吐出口の吐出アダプターの内面にも吸音材を備え、前記空間部内のファン吹出口の中央部で両吸込型送風機の側板と平行な位置に、前記空間部及び前記吐出アダプターの中に連通する吸音機能を有する仕切り板を配設して、前記両吸込型送風機の吹出し側の通風路を前記吸音機能を有する仕切り板でセパレートしたダクトファンを提供する。 【選択図】  図１
2005090789.tif 000002
【特許請求の範囲】
【請求項１】
吸気口に吸気アダプターおよび吐出口に吐出アダプターを有する換気装置の機体に両吸込型送風機を内蔵し、前記吸気口から前記両吸込型送風機に連通する吸気経路を有するダクトファンであって、前記両吸込型送風機のファン吹出口と前記吐出口間に内面に吸音材を有した空間部を設け、前記空間部と連通した前記吐出口の吐出アダプターの内面にも吸音材を備え、前記空間部内のファン吹出口の中央部で両吸込型送風機の側板と平行な位置に、前記空間部及び前記吐出アダプターの中に連通する吸音機能を有する仕切り板を配設して、前記両吸込型送風機の吹出し側の通風路を前記吸音機能を有する仕切り板でセパレートしたことを特徴とするダクトファン。
【請求項２】
吸音機能を有する仕切り板は、吸音面積を広くする中抜き穴を設けた仕切り板に吸音材を取り付けて構成したことを特徴とする請求項１記載のダクトファン。
【請求項３】
吸音機能を有する仕切り板は、仕切り板の両面に吸音材をサンドウイッチ形状に取り付けて構成したことを特徴とする請求項１記載のダクトファン。
【請求項４】
空間部内には、前記両吸込型送風機のファン吹出口と前記吐出口を接続するパンチングメタルのダクトを設けたことを特徴とする請求項１から請求項３のいずれかに記載のダクトファン。
【発明の詳細な説明】
【技術分野】
【０００１】
本発明は、建物の天井裏等の空間に配置し、室外から室内へダクトを介して給気用換気に使用され、減音機能を備えたダクトファンに関するものである。
【背景技術】
【０００２】
ここで示す従来例は、室内から室外にダクトを介して排気するものとして知られている排気用ダクトファンであるが、それを給気用として用いる場合である。その騒音の減音としては、吸い込み口に設けた吸音材を給気側に設けて減音する方法がある（特許文献１参照）。一方、給気口部分での消音装置を有するものとして、大空間に用いる大風量給気用の消音送風装置を用いる方法もあり（特許文献２参照）、それらの構成を以下に示している。
【０００３】
以上から従来例を図７および図８を参照にしながら説明する。図７に示すように、機体１０１に送風機１０２を内蔵し、吸気口１０３の吸気アダプター１０４および機体１０１の内壁面１０５に吸音材１０６を配設して吸気口１０３側の減音を図った排気用のダクトファンである。この減音機能を給気側に移設する方法が考えられる。また、図８には、大空間に用いる大風量給気用の消音送風装置を示し、機体１０７に送風機１０８を内蔵し、前記送風機１０８のファン吹出口１０９と吐出口１１０間に内面に吸音材１１１を有した空間部１１２を設け、前記空間部１１２内に前記ファン吹出口１０９と前記吐出口１１０を接続するパンチングメタルのダクト１１３を配設して吐出口１１０側の減音を図っている。
【特許文献１】特開平１０−７３３０４号公報
【特許文献２】特開昭６１−２８３８００号公報
【発明の開示】
【発明が解決しようとする課題】
【０００４】
このような従来の減音のやり方では、吐出口側の減音を図る際、空間部により低中周波数帯の騒音の減音効果は得られるが、両吸込型送風機を内蔵した場合に、ファン吹出口の中央付近にて２つの羽根車から生じる高風速部分での合流により発生する高周波数帯の騒音の減音が難しく、高周波数帯の騒音の低減が十分に図れていないという課題があった。
【０００５】
そこで本発明は、このような従来の課題を解決するものであり、両吸込型送風機の吹出口の低中周波数帯の騒音から高周波数帯の騒音をトータルで減音できるダクトファンの提供を目的としている。
【課題を解決するための手段】
【０００６】
請求項１記載の本発明は、吸気口に吸気アダプターおよび吐出口に吐出アダプターを有する換気装置の機体に両吸込型送風機を内蔵し、前記吸気口から前記両吸込型送風機に連通する吸気経路を有するダクトファンであって、前記両吸込型送風機のファン吹出口と前記吐出口間に内面に吸音材を有した空間部を設け、前記空間部と連通した前記吐出口の吐出アダプターの内面にも吸音材を備え、前記空間部内のファン吹出口の中央部で両吸込型送風機の側板と平行な位置に、前記空間部及び前記吐出アダプターの中に連通する吸音機能を有する仕切り板を配設して、前記両吸込型送風機の吹出し側の通風路を前記吸音機能を有する仕切り板でセパレートしたことを特徴とする。
【０００７】
請求項２記載の本発明の吸音機能を有する仕切り板は、吸音面積を広くする中抜き穴を設けた仕切り板に吸音材を取り付けて構成したことを特徴とする。
【０００８】
請求項３記載の本発明の吸音機能を有する仕切り板は、仕切り板の両面に吸音材をサンドウイッチ形状に取り付けて構成したことを特徴とする。
【０００９】
請求項４の本発明は、空間部内には、前記両吸込型送風機のファン吹出口と前記吐出口を接続するパンチングメタルのダクトを設けたことを特徴とする。
【発明の効果】
【００１０】
空間部内のファン吹出口の中央部で、両吸込型送風機の側板と平行な位置に、空間部及び吐出アダプターの中に連通する吸音機能を有する仕切り板を配設して、両吸込型送風機の吹出し側の通風路を吸音機能を有する仕切り板でセパレートしたことにより、両吸込型送風機の吹出口の低中周波数帯の音から高周波数帯の音をトータルで減音できるダクトファンの提供を可能とするものである。
【００１１】
また、空間部内に両吸込型送風機のファン吹出口と吐出口を接続するパンチングメタルのダクトを設けているため、空間部での急拡大による吹出し風の乱れを低減することが可能となる。
【発明を実施するための最良の形態】
【００１２】
本発明の第１の実施の形態は、吸気口に吸気アダプターおよび吐出口に吐出アダプターを有する換気装置の機体に両吸込型送風機を内蔵し、前記吸気口から前記両吸込型送風機に連通する吸気経路を有するダクトファンであって、前記両吸込型送風機のファン吹出口と前記吐出口間に内面に吸音材を有した空間部を設け、前記空間部と連通した前記吐出口の吐出アダプターの内面にも吸音材を備え、前記空間部内のファン吹出口の中央部で両吸込型送風機の側板と平行な位置に、前記空間部及び前記吐出アダプターの中に連通する吸音機能を有する仕切り板を配設して、前記両吸込型送風機の吹出し側の通風路を前記吸音機能を有する仕切り板でセパレートしたことにより構成されたものである。これにより、両吸込型送風機の吹出口の低中周波数帯音から高周波数帯音をトータルで減音することが可能となる。
【００１３】
本発明の第２の実施の形態は、吸音機能を有する仕切り板は、吸音面積を広くする中抜き穴を設けた仕切り板に吸音材を取り付けたことにより構成されたものである。これにより、１枚の吸音材の両面で減音効果を得ることが可能となる。
【００１４】
本発明の第３の実施の形態は、吸音機能を有する仕切り板は、仕切り板の両面に吸音材をサンドウイッチ形状に取り付けたことにより構成されたものである。これにより、２枚の吸音材の両面で減音効果を得ることが可能となる。
【００１５】
本発明の第４の実施の形態は、空間部内には、前記両吸込型送風機のファン吹出口と前記吐出口を接続するパンチングメタルのダクトを設けたことにより構成されたものである。これにより、空間部での急拡大による吹出し風の乱れを低減することが可能となる。
【００１６】
以下、本発明の実施例について図面を参照しながら説明する。
【実施例】
【００１７】
（実施例１）
本発明の実施例１について、図１から図３に基づいて説明する。図１は本発明の実施例１の平面断面図、図２は本発明の実施例１の設置状態を示す側面図、図３は本発明の実施例１の騒音測定値を示すグラフである。図１に示すように、吸気口１に吸気アダプター２および吐出口３に吐出アダプター４を有する機体５に両吸込型送風機６を内蔵し、吸気口１から両吸込型送風機６に連通する吸気経路７を形成し、両吸込型送風機６のファン吹出口８と吐出口３間に内面に吸音材９を有した空間部１０を設け、空間部１０と連通した吐出口３の吐出アダプター４の内面にもアダプター吸音材１１を備え、空間部１０内のファン吹出口の中央部１２で、両吸込型送風機６の側板１３と平行な位置に、空間部１０及び吐出アダプター４の中に連通する吸音機能を有する仕切り板１４を配設して、両吸込型送風機６の吹出し側の通風路を、吸音機能を有する仕切り板１４で通風路Ｒ１５と通風路Ｌ１６にセパレートして構成する。
【００１８】
上記構成においてダクトファンを運転すると、機体５に内蔵した両吸込型送風機６が運転し、室外１７の空気は吸込側ダクト１８を接続した吸気アダプター２を通り、吸気経路７を介して両吸込型送風機６に吸い込まれ、ファン吹出口８から吹き出された気流は、両吸込型送風機６の吹出し側の通風路Ｒ１５と通風路Ｌ１６に分かれ、吐出アダプター４に接続した吐出側ダクト１９を経て室内２０に給気される。
【００１９】
上記の運転の中で、前記両吸込型送風機６で発生した騒音は、図３において、破線（Ａ）は、膨張形消音器形状をした空間部１０および吸音機能を有する仕切り板１４がない場合の騒音値、一点鎖線（Ｂ）は、膨張形消音器形状をした空間部１０を有し、吸音機能を有する仕切り板１４がない場合の騒音値、実線（Ｃ）は、膨張形消音器形状をした空間部１０および吸音機能を有する仕切り板１４がある場合の騒音値である。（Ａ）と（Ｂ）を比較すると、（Ａ）に対して（Ｂ）は、５００〜２０００Hzを中心にした低中周波数帯の騒音が減音されている。これは、膨張形の消音器形状を有していることから、マフラー作用による音のエネルギーの反射を生じ、騒音低減がおこなわれたためである。
【００２０】
また、（Ｂ）と（Ｃ）を比較すると、（Ｂ）に対して（Ｃ）は、２０００〜８０００Hzを中心にした高周波数帯の騒音が減音されている。（Ｂ）は、両吸込型送風機６のファン吹出口の中央部１２で合流する高速気流部分２１に生ずる気流の衝突により高周波数帯の騒音が発生している。これに対して（Ｃ）は、両吸込型送風機６の吹出し側の通風路を吸音機能を有する仕切り板１４でセパレートし、吸音機能を有する仕切り板１４により高速気流部分２１が通風路Ｒ１５と通風路Ｌ１６に分かれているため、両吸込型送風機６のファン吹出口の中央部１２で合流する高速気流部分２１に生ずる気流の衝突がなくなり、高周波数帯の騒音の発生を防いで減音の役割をはたしている。また、吸音機能を有する仕切り板１４と空間部１０の内壁面に配設した吸音材９間の音の反射により減音をおこなっている。また、吸音機能を有する仕切り板１４が、空間部１０及び吐出アダプター４の中に連通し、吐出口３の吐出アダプター４の内面にもアダプター吸音材１１を備えているため、両者間の音の反射により高周波数帯の騒音の減音をおこなっている。さらに、高速気流部分２１に発生する騒音自体も、吸音機能を有する仕切り板１４に吸収されて減音される。以上のように、両吸込型送風機６の吹出し側の通風路を吸音機能を有する仕切り板１４でセパレートしたことにより複数の部分で減音機能が働くため、低中周波数帯から高周波数帯のトータルで減音できることにより、低中周波数帯の騒音から高周波数帯までの騒音を大きく低減している。これにより、室内において、ダクトファンから発生する騒音の低減を可能とした低騒音の給気型のダクトファンを提供することができる。
【００２１】
なお、吸音機能を有する仕切り板１４は、高風速部分２１近傍に位置しているかぎり、ファン吹出口の中央部１２の完全な中央から多少ずれても同様の効果を得られる。
【００２２】
（実施例２）
また、図４は本発明の実施例２の斜視図である。
【００２３】
図４に示すように、吸音機能を有する仕切り板１４は、吸音面積を広くする中抜き穴２２を設けた中抜仕切り板２３に中抜対応吸音材２４を取り付けて構成する。そして、上記構成において、グラスウール等の柔らかい材料で形成された中抜対応吸音材２４は、中抜仕切り板２３に取り付けており、ファン吹出口の中央部１２に強固に固定される。中抜仕切り板２３には中抜き穴２２を設け、中抜対応吸音材２４の中抜仕切り板２３側の取り付け面が露出するようになるから、１枚の中抜対応吸音材２４の両面で減音効果を得ることができるものである。これにより、１枚の吸音材の両面で減音できるため、吸音効果を更に高めることができるものである。
【００２４】
（実施例３）
また、図５は本発明の実施例３の斜視図である。
【００２５】
図５に示すように、吸音機能を有する仕切り板１４は、ダブル用仕切り板２５の両面にダブル吸音材２６をサンドウイッチ形状に取り付けて構成する。
【００２６】
そして、上記構成において、グラスウール等の柔らかい材料で形成されたダブル吸音材２６は、ダブル用仕切り板２５に取り付けており、ファン吹出口の中央部１２に強固に固定できる。ダブル吸音材２６はダブル用仕切り板２５の両面に取り付けているから、２枚のダブル吸音材２６の両面で減音効果を得ることができるものである。
【００２７】
（実施例４）
また、図６は本発明の実施例４の平面断面図である。
【００２８】
図６に示すように、空間部１０内に両吸込型送風機６のファン吹出口８と吐出口３を接続するパンチングメタルのダクト２７を設けて構成する。
【００２９】
そして、上記構成において、空間部１０内に両吸込型送風機６のファン吹出口８と吐出口３を接続するパンチングメタルのダクト２７を設けて形成しているから、吹出し風はパンチングメタルのダクト２７に沿って流れ、空間部１０での急拡大による吹出し風の乱れを低減し、低周波数帯の騒音低減が可能である。
【産業上の利用可能性】
【００３０】
給気用の換気以外に、送風による搬送、冷却の用途にも適用できる。
【図面の簡単な説明】
【００３１】
【図１】本発明の実施例１の平面断面図
【図２】本発明の実施例１の設置状態を示す側面図
【図３】本発明の実施例１の騒音測定値を示すグラフ
【図４】本発明の実施例２の斜視図
【図５】本発明の実施例３の斜視図
【図６】本発明の実施例４の平面断面図
【図７】従来例の平面断面図
【図８】従来例の平面断面図
【符号の説明】
【００３２】
１    吸気口
２    吸気アダプター
３    吐出口
４    吐出アダプター
５    機体
６    両吸込型送風機
７    吸気経路
８    ファン吹出口
９    吸音材
１０  空間部
１１  アダプター吸音材
１２  ファン吹出口の中央部
１３  側板
１４  吸音機能を有する仕切り板
１５  通風路Ｒ
１６  通風路Ｌ
１７  室外
１８  吸込側ダクト
１９  吐出側ダクト
２０  室内
２１  高速気流部分
２２  中抜き穴
２３  中抜仕切り板
２４  中抜対応吸音材
２５  ダブル用仕切り板
２６  ダブル吸音材
２７  パンチングメタルのダクト
【図１】
2005090789.tif 000003
【図２】
2005090789.tif 000004
【図３】
2005090789.tif 000005
【図４】
2005090789.tif 000006
【図５】
2005090789.tif 000007
【図６】
2005090789.tif 000008
【図７】
2005090789.tif 000009
【図８】
2005090789.tif 000010